(57)【要約】      （修正有）【課題】通帳類の出し入れをスムーズに行うことが出来ると共に、材料となる樹脂フィルムの使用量を削減して省資源化に寄与できるジッパー付袋を提供する。【解決手段】袋本体１のサイドシール２、３とジッパー５の両端が重なり合っていて、サイドシール２、３を行った際に溶融した樹脂がサイドシール２、３の内方に流動して固化し、膨出部が形成された部分を、ジッパー５の両端部分を含めてカットする。この結果、膨出部が除去された分、通帳類の出し入れがスムーズとなり、膨出部が無くなった分、袋を小型化して省資源化に寄与できる。【選択図】図１
0003137344.tif 000002
【実用新案登録請求の範囲】
【請求項１】
サイドシールとジッパーがクロスすることにより重なり合っていて、サイドシールを行なう際に、前記ジッパーのクロス部分も同時に溶融することにより、この溶融した樹脂が前面フィルムと後面フィルム間において内方に流動して固化し、ここに膨出部が形成された袋本体において、前記膨出部とジッパーの両端部分を一緒にカットすることにより、該膨出部分を除去して成るジッパー付袋。
【請求項２】
前記カットは、直線的になされていることを特徴とする請求項１に記載のジッパー付袋。
【請求項３】
前記カットは、Ｌ字状になされていることを特徴とする請求項１に記載のジッパー付袋。
【請求項４】
前記カットは、円弧状になされていることを特徴とする請求項１に記載のジッパー付袋。
【請求項５】
前記カットは、コ字状になされていることを特徴とする請求項１に記載のジッパー付袋。
【請求項６】
前記袋本体において、前記ジッパーより外側の口部に頭シールが施されていると共に、この頭シールとジッパー間のエッジにノッチが入れられていることを特徴とする請求項１〜５の何れか１項に記載のジッパー付袋。
【請求項７】
サイドシールとジッパーがクロスする部分において、このクロスする部分についてはサイドシールが施されていないことを特徴とするジッパー付袋。
【請求項８】
前記ジッパーより外側の口部分に頭シールが施されていると共にこの頭シールとジッパー間のエッジにノッチが入れられていることを特徴とする請求項７記載のジッパー付袋。
【考案の詳細な説明】
【技術分野】
【０００１】
本考案は、開口部に再密封用のジッパーを取り付けた袋に関し、更に詳しくは、前記ジッパーが袋の開口部内に横一直線状に取り付けられていると共に、このジッパーの両端が製袋時に施されるサイドシール部分に重合する形態のジッパー付袋に関する。
【背景技術】
【０００２】
従来のジッパー付袋の構成例を図６に示す。この従来のジッパー付袋２０は、前面フィルム２１と後面フィルム２２をその両サイドでサイドシール２３、２４を行い、更に底部シール２５を行う所謂三方シール方式により製袋されている。但し、底部シール２５の部分は、フィルムが２つ折りにされていることにより、省略された二方シールタイプもある。
【０００３】
上記構成の袋２０において、その開口部２６内にジッパー２７を取り付ける場合には、図７に示すように、凸条２８を形成したベーステープ２８ａと、凹条２９を形成したベーステープ２９ａは、咬合させた状態で袋２０の開口部２６内において前面フィルム２１と後面フィルム２２間に横一文字に挿入され、ベーステープ２８ａ、２９ａをそれぞれ前面フィルム２１と後面フィルム２２の内面にヒートシールし、その上で前記サイドシール２３、２４を行う。このため、ベーステープ２８ａ、２９ａ及び凸部２８、凹部２９の両端もそれぞれサイドシール２３、２４と一緒にヒートシールされる。
【０００４】
このように、従来のジッパー付袋２０の場合、ジッパー２７の両端部分がサイドシール２３、２４に重なり合うため、この部分においてはジッパー２７が重なり合っている分溶融する樹脂量が多くなり、その結果、図６に示すように、サイドシール２３、２４の内側に溶融した樹脂が流動固化し、ここに膨出部３０、３０ａが出来てしまい、この膨出部３０、３０ａの幅Ｗ1は、サイドシール２３、２４の幅Ｗに比較して約２倍程度大きくなる。
このため、銀行通帳やカード等の場合、その出し入れに際して膨出部３０、３０ａに引っ掛かって出し入れがしずらいため、左右の膨出部３０、３０ａ間の幅を通帳やカードが出し入れしやすいように大きくとってあり、この分袋の横幅が大きくなるという欠点がある。
したがって、袋の形状が大きくなった分、使用するフィルム量も多くなることから、省資源対策上問題である。
【考案の開示】
【考案が解決しようとする課題】
【０００５】
本考案は、斯る点に鑑みて提供されるもので、その目的は、ジッパー付袋において、ジッパーがサイドシール部分を横切る部位に形成された膨出部を残さないようにすることで、通帳やカード類の出し入れの障害を解消し、結果として袋の大きさを従来品より小さく形成して省資源化を図ることである。
【課題を解決するための手段】
【０００６】
上記目的を達成するため、請求項１に記載の考案においては、ジッパー付袋において、サイドシールとジッパーがクロスすることにより重なり合っていて、サイドシールを行なう際に、前記ジッパーのクロス部分も同時に溶融することにより、この溶融した樹脂が前面フィルムと後面フィルム間において内方に流動して固化し、ここに膨出部が形成された袋本体において、前記膨出部とジッパーの両端部分を一緒にカットすることにより、該膨出部分を除去して成ることを特徴とするものである。
なお、このカットの仕方としては、斜めにカットしても、あるいはＬ字状にカットしても良く、要は、膨出部が無くなるようにカットすることである。
このように膨出部がカットされて無くなると、通帳やカードの横幅いっぱいにサイドシール幅を行ってもジッパー部分の幅は開放されているため、出し入れが不自由となることはない。
【０００７】
更に、請求項２に記載の発明においては、請求項１に記載のジッパー付袋において、前記カットは、直線的になされていることを特徴とするものである。
【０００８】
更に、請求項３に記載の発明においては、請求項１に記載のジッパー付袋において、前記カットは、Ｌ字状になされていることを特徴とするものである。
【０００９】
更に、請求項４に記載の発明においては、請求項１に記載のジッパー付袋において、前記カットは、円弧状になされていることを特徴とするものである。
【００１０】
更に、請求項５に記載の発明においては、請求項１に記載のジッパー付袋において、前記カットは、コ字状になされていることを特徴とするものである。
【００１１】
更に、請求項６に記載の発明においては、前記袋本体において、前記ジッパーより外側の口部に頭シールが施されていると共に、この頭シールとジッパー間のエッジにノッチが入れられていることを特徴とするものである。
【００１２】
更に、請求項７に記載の発明においては、サイドシールとジッパーがクロスする部分において、このクロスする部分についてはサイドシールが施されていないことを特徴とするものである。
【００１３】
更に、請求項８に記載の発明においては、請求項７記載のジッパー付袋において、前記ジッパーより外側の口部分に頭シールが施されていると共にこの頭シールとジッパー間のエッジにノッチが入れられていることを特徴とするものである。
【考案の効果】
【００１４】
本考案は以上のように、サイドシールとジッパーの両端が重なり合い、溶融した樹脂により形成される膨出部がカットされているため、出し入れ口が大きくなり、袋の収容部の幅を通帳やカード類の幅に合わせても、通帳やカード類の出し入れをスムーズに行うことができる。また、袋の大きさを通帳やカードに合わせて小さく出来るため、この分樹脂フィルムの使用量を削減でき、省資源化が可能である。
【実施例】
【００１５】
以下図１〜図４に基づいて、本考案の実施例を詳細に説明する。図１は本考案に係る袋（ケース）の斜視図、図２はＡ−Ａ´線断面図、図３、図４はカット形状の実施例図である。
符号の１は、プラスチックフィルムを素材として両サイドシール２、３及び底辺シール４により製袋された袋本体であって、この袋本体１は所謂三方シールと称されるものである。
５は前記袋本体１の開口部８内に取り付けられたジッパーであって、このジッパー５の凸条６と凹条７は、そのベーステープ６ａ、７ａを介して袋本体１の前面フィルム９と後面フィルム１０の内面にヒートシールされている。
１１、１１ａは袋本体１において、ジッパー５がサイドシール２、３を横断し、サイドシール２、３の内側に流出し、固化した膨出部（図６の３０、３０ａ）を除去するように斜めに切り欠いたカット部である。
【００１６】
上記構成から成る袋は、ジッパー５で気密に再密閉するものには適さず、例えば銀行通帳、年金手帳のような通帳類、あるいは各種カード類の入れ物として用いられる。
なお、上記構成において、カット部１１、１１ａの形状は、図３（Ａ）に示すように、直線的にカットしても良いし、（Ｂ）に示すようにＬ字状に、又は（Ｃ）に示すように円弧状にカットしても良い。
【００１７】
また、前記カット部１１、１１ａは図４（Ａ）に示すように、コ字状にカットしてもよく（請求項５）、また、このコ字状にカットした上に頭シール１２を施し、Ｖノッチ１３を入れても良い（請求項６）。
また、サイドシール２、３とジッパー５がクロスする部分においては、図４（Ｂ）に示すように、サイドシール２、３を施さないように形成しても良く（請求項７）、また図４（Ｃ）に示すように、ジッパー５の部分においてはサイドシール２、３を避け、その上で頭シール１２を施し、Ｖノッチ１３を入れても良い（請求項８）。
【００１８】
図５（Ａ）（Ｂ）は、従来の袋と本考案に係る袋との比較例であって、本考案によると、図５（Ａ）に示すように、ジッパー５が横断する部分に膨出部が残っていないため、袋本体１の開口部８はサイドシール２、３の内幅と同一となり、この結果、通帳Ａとサイドシール２、３間の幅Ｗ1は極めて小さくてよく、通帳Ａの出し入れをスムーズに行うことができる。
一方、図５（Ｂ）に示すように、膨出部３０、３０ａが形成されている従来の袋の場合、出し入れに配慮すると、袋１の開口部８は、膨出部３０、３０ａと通帳Ａ間の幅Ｗ分大きくする必要があり、この分、袋は大型化し、余分の樹脂フィルムを使う必要がある。
なお、本考案は、三方シール袋について説明したが、二方シール袋、あるいはガゼット袋においても適用が可能であり、これらの袋に適用しても本考案の技術的範囲内である。
【図面の簡単な説明】
【００１９】
【図１】本考案に係るコーナー部分をカットしたジッパー付袋の説明図
【図２】Ａ−Ａ´線断面図
【図３】カットの実施例を示すもので、（Ａ）は直線カット、（Ｂ）はＬ字カット、（Ｃ）は円弧カットの説明図
【図４】他の実施例を示すもので、（Ａ）はコ字状にカットした例、（Ｂ）はサイドシールをジッパーのクロス部分には施さない例、（Ｃ）は頭シールを行った例の説明図
【図５】比較例を示し、（Ａ）は本考案に係るジッパー付袋、（Ｂ）は従来のジッパー付袋の説明図
【図６】従来のジッパー付袋の説明図
【図７】Ｂ−Ｂ´線断面図
【符号の説明】
【００２０】
１  袋本体
２  サイドシール
３  サイドシール
４  底シール
５  ジッパー
６  凸条
７  凹条
８  出し入れ口
９  前面フィルム
１０  後面フィルム
１１、１１ａ  カット部
１２  頭シール
１３  Ｖノッチ
【図１】
0003137344.tif 000003
【図２】
0003137344.tif 000004
【図３】
0003137344.tif 000005
【図４】
0003137344.tif 000006
【図５】
0003137344.tif 000007
【図６】
0003137344.tif 000008
【図７】
0003137344.tif 000009